(57)【要約】【課題】撮像領域の一部を意図的にぼかした画像の撮影を、簡易かつ製造コストの低い構造にて実現可能とするカメラモジュールを提供すること。【解決手段】実施形態によれば、カメラモジュール２は、撮像光学系５、手振れ補正装置であるＯＩＳ７及び固体撮像装置６を有する。撮像光学系５には、補正用レンズが組み込まれている。手振れ補正装置は、レンズ駆動制御部１３を備える。レンズ駆動制御部１３は、被写体像の撮像時における手振れ量に応じて補正用レンズの駆動を制御する。レンズ駆動制御部１３は、第１の制御では、手振れ量に応じて補正用レンズの駆動を制御する。レンズ駆動制御部１３は、第２の制御では、第１の領域でピントを合わせ、かつ第２の領域でピントをずらすように、補正用レンズの駆動を制御する。第１の領域は、固体撮像装置６が画像として取り込む撮像領域のうちの一部である。第２の領域は、撮像領域のうち第１の領域以外の部分である。【選択図】図１
2015115865.tif 000002
【特許請求の範囲】
【請求項１】
被写体からの光を取り込み、被写体像を結像させる撮像光学系と、
前記被写体像の手振れ補正を実施する手振れ補正装置と、
前記被写体像を撮像する固体撮像装置と、を有し、
前記撮像光学系には、前記手振れ補正装置が前記手振れ補正において駆動する補正用レンズが組み込まれ、
前記手振れ補正装置は、前記被写体像の撮像時における手振れ量に応じて前記補正用レンズの駆動を制御するレンズ駆動制御部を備え、
前記レンズ駆動制御部は、
前記手振れ量に応じて前記補正用レンズの駆動を制御する第１の制御と、
前記固体撮像装置が画像として取り込む撮像領域のうちの一部である第１の領域でピントを合わせ、かつ前記撮像領域のうち前記第１の領域以外の部分である第２の領域でピントをずらすように、前記補正用レンズの駆動を制御する第２の制御と、を実施することを特徴とするカメラモジュール。
【請求項２】
前記レンズ駆動制御部は、前記第２の制御において、前記撮像光学系の光軸に対する前記補正用レンズの傾きを調整することを特徴とする請求項１に記載のカメラモジュール。
【請求項３】
前記レンズ駆動制御部は、前記第２の制御において、前記光軸に垂直な面の方向における前記補正用レンズの位置を調整することを特徴とする請求項１又は２に記載のカメラモジュール。
【請求項４】
前記レンズ駆動制御部は、前記撮像領域から前記第１の領域又は前記第２の領域を設定するための指示に従って、前記第２の制御を実施することを特徴とする請求項１から３のいずれか一項に記載のカメラモジュール。
【請求項５】
前記レンズ駆動制御部は、前記第１の制御と前記第２の制御とに、前記補正用レンズの駆動の制御を切り換え可能であることを特徴とする請求項１から４のいずれか一項に記載のカメラモジュール。
【発明の詳細な説明】
【技術分野】
【０００１】
本発明の実施形態は、カメラモジュールに関する。
【背景技術】
【０００２】
従来、画像の表現方法の一つとして、画像の一部を意図的にぼかす表現方法が知られている。この表現方法によると、例えば、被写体にピントを合わせてその背景をぼかすことで、背景に対して被写体を際立たせる効果が得られる。また、画像のうち任意の箇所を意図的にぼかすことで、画像の鑑賞性を高める効果が得られることがある。カメラシステムは、画像の撮影において、このような表現方法を容易に実現できるようにすることが求められている。
【０００３】
カメラシステムは、例えば、撮像光学系としてＦ値の低いレンズを搭載することで、被写体にピントを合わせるとともに背景をぼかした画像を撮影することができる。カメラシステムは、Ｆ値の低いレンズを使用する場合、被写界深度が浅くなることで、ピント合わせが難しくなる。カメラシステムは、例えば動画を撮影する場合におけるピント合わせが特に難しくなる。
【０００４】
カメラシステムは、ピントを合わせ易くするために、被写界深度の深いレンズあるいは可変絞りが導入されることがある。この場合、カメラシステムは、構造が複雑となることで製造コストが上昇すること、及びカメラシステムの厚みが増大することが問題となる。
【先行技術文献】
【特許文献】
【０００５】
【特許文献１】特開２００９−４４６６９号公報
【特許文献２】特開２００４−１１２６００号公報
【発明の概要】
【発明が解決しようとする課題】
【０００６】
本発明の一つの実施形態は、撮像領域の一部を意図的にぼかした画像の撮影を、簡易かつ製造コストの低い構造にて実現可能とするカメラモジュールを提供することを目的とする。
【課題を解決するための手段】
【０００７】
本発明の一つの実施形態によれば、カメラモジュールは、撮像光学系、手振れ補正装置及び固体撮像装置を有する。撮像光学系は、被写体からの光を取り込み、被写体像を結像させる。手振れ補正装置は、被写体像の手振れ補正を実施する。固体撮像装置は、被写体像を撮像する。撮像光学系には、補正用レンズが組み込まれている。手振れ補正装置は、手振れ補正において補正用レンズを駆動する。手振れ補正装置は、レンズ駆動制御部を備える。レンズ駆動制御部は、被写体像の撮像時における手振れ量に応じて補正用レンズの駆動を制御する。レンズ駆動制御部は、第１の制御と第２の制御とを実施する。レンズ駆動制御部は、第１の制御では、手振れ量に応じて補正用レンズの駆動を制御する。レンズ駆動制御部は、第２の制御では、第１の領域でピントを合わせ、かつ第２の領域でピントをずらすように、補正用レンズの駆動を制御する。第１の領域は、固体撮像装置が画像として取り込む撮像領域のうちの一部である。第２の領域は、撮像領域のうち第１の領域以外の部分である。
【図面の簡単な説明】
【０００８】
【図１】実施形態にかかるカメラモジュールを備えるカメラシステムの概略構成を示すブロック図。
【図２】固体撮像装置の概略構成を示すブロック図。
【図３】カメラシステムが備える光学系の概略構成を示す図。
【図４】通常の撮影モードにおける補正用レンズ及びイメージセンサの位置関係の例を示す図。
【図５】ぼかし調整モードにおける補正用レンズ及びイメージセンサの位置関係の例を示す図。
【図６】補正用レンズ及びイメージセンサの位置関係が図４に示す状態であるときのピント調整について説明する図。
【図７】補正用レンズ及びイメージセンサの位置関係が図５に示す状態であるときのピント調整について説明する図。
【図８】ぼかし調整モードにて得られる画像の例を示す図。
【図９】実施形態の変形例における補正用レンズ及びイメージセンサの位置関係の例を示す図。
【発明を実施するための形態】
【０００９】
以下に添付図面を参照して、実施形態にかかるカメラモジュールを詳細に説明する。なお、この実施形態により本発明が限定されるものではない。
【００１０】
（実施形態）
図１は、実施形態にかかるカメラモジュールを備えるカメラシステムの概略構成を示すブロック図である。カメラシステム１は、例えば、デジタルカメラである。カメラシステム１は、デジタルスチルカメラ及びデジタルビデオカメラのいずれであっても良い。カメラシステム１は、カメラモジュール２を備える電子機器（例えばカメラ付き携帯端末）等でも良い。
【００１１】
カメラシステム１は、カメラモジュール２、後段処理部３及び操作部４を有する。カメラモジュール２は、撮像光学系５、固体撮像装置６、及び光学的手振れ補正装置（Optical  Image  Stabilization；ＯＩＳ）７を有する。後段処理部３は、イメージシグナルプロセッサ（ＩＳＰ）８、記憶部９及び表示部１０を有する。
【００１２】
撮像光学系５は、被写体からの光を取り込み、被写体像を結像させる。固体撮像装置６は、被写体像を撮像する。ＯＩＳ７は、被写体像の手振れ補正を実施する。ＯＩＳ７は、レンズ駆動部１１、角速度センサ１２及びレンズ駆動制御部１３を備える。
【００１３】
角速度センサ１２は、手振れによるカメラシステム１の移動方向及び移動量（手振れ量）を検出する。角速度センサ１２は、例えば振動ジャイロ機構を備える。レンズ駆動制御部１３は、レンズ駆動部１１による補正用レンズの駆動を制御する。レンズ駆動部１１は、レンズ駆動制御部１３の制御に応じて補正用レンズを駆動する。レンズ駆動部１１は、例えばボイスコイルモータを備える。補正用レンズは、撮像光学系５に組み込まれている。ＯＩＳ７は、手振れ補正において補正用レンズを駆動する。
【００１４】
ＩＳＰ８は、固体撮像装置６での撮像により得られた画像信号の信号処理を実施する。記憶部９は、ＩＳＰ８での信号処理を経た画像を格納する。記憶部９は、ユーザの操作等に応じて、表示部１０へ画像信号を出力する。
【００１５】
表示部１０は、ＩＳＰ８あるいは記憶部９から入力される画像信号に応じて、画像を表示する。表示部１０は、例えば、液晶ディスプレイである。カメラシステム１は、ＩＳＰ８での信号処理を経たデータに基づき、カメラモジュール２のフィードバック制御を実施する。
【００１６】
操作部４は、ユーザによる入力操作を受け付ける各種操作ボタンを備える。操作部４は、入力操作に応じた情報をＩＳＰ８へ出力する。ＩＳＰ８は、操作部４からの情報に応じて、カメラモジュール２及び後段処理部３を制御する。
【００１７】
図２は、固体撮像装置の概略構成を示すブロック図である。固体撮像装置６は、撮像素子であるイメージセンサ２０と、画像処理装置である信号処理回路２１とを備える。イメージセンサ２０は、例えば、ＣＭＯＳイメージセンサである。イメージセンサ２０は、ＣＭＯＳイメージセンサの他、ＣＣＤであっても良い。
【００１８】
イメージセンサ２０は、画素アレイ２２、垂直シフトレジスタ２３、タイミング制御部２４、相関二重サンプリング部（ＣＤＳ）２５、アナログデジタル変換部（ＡＤＣ）２６及びラインメモリ２７を有する。
【００１９】
画素アレイ２２は、水平方向（行方向）及び垂直方向（列方向）へアレイ状に配置された複数の画素からなる。各画素は、光電変換素子であるフォトダイオードを備える。画素アレイ２２は、各画素への入射光量に応じた信号電荷を生成する。
【００２０】
タイミング制御部２４は、画素アレイ２２の各画素からの信号を読み出すタイミングを指示する垂直同期信号を、垂直シフトレジスタ２３へ供給する。タイミング制御部２４は、ＣＤＳ２５、ＡＤＣ２６及びラインメモリ２７に対し、駆動タイミングを指示するタイミング信号をそれぞれ供給する。
【００２１】
垂直シフトレジスタ２３は、タイミング制御部２４からの垂直同期信号に応じて、画素アレイ２２内の画素を行ごとに選択する。垂直シフトレジスタ２３は、選択した行の各画素へ読み出し信号を出力する。垂直シフトレジスタ２３から読み出し信号が入力された画素は、入射光量に応じて蓄積した信号電荷を出力する。画素アレイ２２は、画素からの信号を、垂直信号線を介してＣＤＳ２５へ出力する。
【００２２】
ＣＤＳ２５は、画素アレイ２２からの信号に対し、固定パターンノイズの低減のための相関二重サンプリング処理を行う。ＡＤＣ２６は、アナログ方式の信号をデジタル方式の信号へ変換する。ラインメモリ２７は、ＡＤＣ２６からの信号を蓄積する。イメージセンサ２０は、ラインメモリ２７に蓄積された信号を出力する。
【００２３】
信号処理回路２１は、イメージセンサ２０からの画像信号に対し、各種の信号処理を実施する。信号処理回路２１は、各種信号処理として、例えば、キズ補正、ガンマ補正、ノイズ低減処理、レンズシェーディング補正、ホワイトバランス調整、歪曲補正、解像度復元等を実施する。
【００２４】
固体撮像装置６は、信号処理回路２１での信号処理を経た画像信号をチップ外部へ出力する。固体撮像装置６は、信号処理回路２１での信号処理を経たデータに基づき、イメージセンサ２０のフィードバック制御を実施する。
【００２５】
カメラシステム１は、本実施形態において信号処理回路２１が実施するものとした各種信号処理の少なくともいずれかを、後段処理部３のＩＳＰ８が実施することとしても良い。カメラシステム１は、各種信号処理の少なくともいずれかを、信号処理回路２１及びＩＳＰ８の双方が実施しても良い。信号処理回路２１及びＩＳＰ８は、本実施形態で説明する信号処理以外の信号処理を実施することとしても良い。
【００２６】
図３は、カメラシステムが備える光学系の概略構成を示す図である。撮像レンズ３０、補正用レンズ３１及び撮像レンズ３２は、撮像光学系５を構成する。レンズ駆動部１１は、撮像光学系５に組み込まれている補正用レンズ３１を駆動する。なお、撮像光学系５は、レンズ駆動部１１により駆動する補正用レンズ３１を備えるものであれば良く、構成は任意とする。
【００２７】
被写体から撮像光学系５へ入射した光は、撮像光学系５を経てメインミラー３３へ入射する。メインミラー３３を透過した光は、サブミラー３４へ入射する。サブミラー３４を透過しメカシャッタ３８を経た光は、イメージセンサ２０へ入射する。
【００２８】
サブミラー３４で反射した光は、オートフォーカス（ＡＦ）センサ３５へ進行する。カメラシステム１は、ＡＦセンサ３５での検出結果を使用するフォーカス調整を行う。メインミラー３３で反射した光は、レンズ３６及びプリズム３７を経てファインダー３９へ進行する。カメラシステム１が備える光学系は、実施形態で説明するものに限られず、適宜変更しても良い。補正用レンズ３１は、被写体からの光をイメージセンサ２０へ向けて進行させる経路のうちいずれの位置に配置されたものであっても良い。また、ＯＩＳ７が駆動可能とする補正用レンズ３１の数は任意であるものとする。
【００２９】
次に、ＯＩＳ７による補正用レンズ３１の駆動の制御について説明する。レンズ駆動制御部１３は、補正用レンズ３１の駆動において、第１の制御と第２の制御とを実施する。
【００３０】
レンズ駆動制御部１３は、第１の制御として、被写体像の撮像時における手振れ量に応じて補正用レンズ３１の駆動を制御する。レンズ駆動制御部１３は、被写体像の撮像時に角速度センサ１２で検出された手振れ量を、角速度センサ１２から取り込む。レンズ駆動制御部１３は、取り込まれた手振れ量を打ち消し可能とする補正用レンズ３１の移動方向及び移動量を算出する。レンズ駆動制御部１３は、算出された移動方向及び移動量で補正用レンズ３１を駆動するための制御信号を生成する。
【００３１】
レンズ駆動部１１は、レンズ駆動制御部１３で生成された制御信号に応じて補正用レンズ３１を駆動する。これにより、カメラモジュール２は、手振れの影響が低減された画像を得ることができる。
【００３２】
レンズ駆動制御部１３は、第２の制御として、第１の領域でピントを合わせ、かつ第２の領域でピントをずらすように、補正用レンズ３１の駆動を制御する。第１の領域は、固体撮像装置６が画像として取り込む撮像領域のうちの一部である。第２の領域は、その撮像領域のうち第１の領域以外の部分である。
【００３３】
例えば、カメラモジュール２は、通常の撮影モードとぼかし調整モードとに切り換えて、被写体像を撮像可能であるものとする。ぼかし調整モードは、補正用レンズ３１に対する第２の制御により第１の領域及び第２の領域についてのピント調整を実施するモードとする。通常の撮影モードは、ぼかし調整モードを選択している時以外のモードとする。カメラモジュール２は、通常の撮影モードにて、補正用レンズ３１に対する第１の制御による手振れ補正を実施可能とする。レンズ駆動制御部１３は、第１の制御と第２の制御とに、補正用レンズ３１の駆動の制御を切り換え可能であるものとする。
【００３４】
図４は、通常の撮影モードにおける補正用レンズ及びイメージセンサの位置関係の例を示す図である。図５は、ぼかし調整モードにおける補正用レンズ及びイメージセンサの位置関係の例を示す図である。
【００３５】
図４に示す通常の撮影モードのとき、補正用レンズ３１は、例えば、撮像光学系５の光軸ＡＸ上に中心点を合わせて配置されている。また、補正用レンズ３１は、光軸ＡＸに垂直に配置されている。Ｚ軸は、光軸ＡＸに平行な軸とする。Ｘ軸及びＹ軸は、互いに垂直であり、かついずれもＺ軸に垂直な軸とする。
【００３６】
図６は、補正用レンズ及びイメージセンサの位置関係が図４に示す状態であるときのピント調整について説明する図である。カメラモジュール２は、撮像領域の全体を対象として、適宜フォーカス調整がなされる。固体撮像装置６は、撮像領域の全体において、カメラシステム１から被写体までの距離に応じたピント調整がなされた画像を取り込む。
【００３７】
例えば、ある被写体にピントを合わせたフォーカス調整がなされている場合において、固体撮像装置６は、当該被写体から撮像光学系５の被写体深度に応じた距離の範囲内にある被写体についてもピントが合っているように見える画像を得ることができる。手振れ補正を実施する場合、レンズ駆動制御部１３は、カメラシステム１の手振れ量に応じて、補正用レンズ３１の駆動を制御する。
【００３８】
図５に示すぼかし調整モードのとき、レンズ駆動制御部１３は、第２の制御として、光軸ＡＸに対する補正用レンズ３１の傾きを調整する。例えば図５に示す補正用レンズ３１は、図４に示す状態であるときに対して、プラスＹ側の端部をマイナスＺ方向へ移動させるように傾きが調整されている。レンズ駆動制御部１３は、補正用レンズ３１の傾きを調整することで、第１の領域でピントを合わせるとともに第２の領域でピントを意図的にずらす。なお、レンズ駆動制御部１３は、補正用レンズ３１をいずれの方角へ傾けることとしても良く、傾ける度合いも適宜調整可能であるものとする。
【００３９】
図７は、補正用レンズ及びイメージセンサの位置関係が図５に示す状態であるときのピント調整について説明する図である。固体撮像装置６は、カメラシステム１から被写体までの距離に関わらず、第１の領域内の被写体にピントが合い、かつ第２の領域の全体をぼかした画像を得る。
【００４０】
例えば、ユーザは、撮像領域のうち、ピントを合わせたい被写体がある部分を、第１の領域として指定する。例えば操作部４は、第１の領域の指定のための、ユーザによる入力操作を受け付ける。操作部４は、入力操作に応じた指示をＩＳＰ８に送る。ＩＳＰ８は、操作部４からの指示を、カメラモジュール２内のレンズ駆動制御部１３へ送る。
【００４１】
カメラシステム１は、例えば、表示部１０を液晶ファインダーとして機能させ、表示部１０上に設けられたタッチセンサを操作部４として機能させることとしても良い。例えば、ユーザは、撮像領域を表示している表示部１０へのタッチ操作によって第１の領域を指定する。カメラシステム１は、操作部４として、タッチセンサ以外にもいずれの入力手段を備えることとしても良い。
【００４２】
レンズ駆動制御部１３は、撮像領域からの第１の領域の指定のための指示をＩＳＰ８から受けると、当該指示に従って第２の制御を実施する。レンズ駆動制御部１３は、撮像領域のうち第１の領域として指定されている部分のピントを合わせ、かつ第１の領域として指定されている以外の部分である第２の領域のピントをずらすように、補正用レンズ３１の傾きを調整する。
【００４３】
ぼかし調整モードが指定されている間、レンズ駆動制御部１３は、第１の領域の指定のための指示に従って、補正用レンズ３１の傾きを調整する。ぼかし調整モードから通常の撮影モードへのモード変更が指示されると、レンズ駆動制御部１３は、傾けられている状態の補正用レンズ３１を、例えば光軸ＡＸに垂直になるように戻す。モード変更の際に手振れ補正の実施が指示されている場合、レンズ駆動制御部１３は、第１の制御により手振れ量に応じて補正用レンズ３１の駆動を制御する。
【００４４】
なお、操作部４は、第２の領域の指定のための入力操作を受け付け可能であっても良い。この場合、レンズ駆動制御部１３は、撮像領域からの第２の領域の指定のための指示をＩＳＰ８から受けると、当該指示に従って第２の制御を実施する。レンズ駆動制御部１３は、撮像領域のうち第２の領域として指定されている部分のピントをずらし、かつ第２の領域として指定されている以外の部分である第１の領域のピントを合わせるように、補正用レンズ３１の傾きを調整する。
【００４５】
カメラシステム１は、ユーザによる操作部４への入力操作以外のいずれの手段によって、第１の領域又は第２の領域を設定することとしても良い。いずれの手段によって第１の領域又は第２の領域の設定がなされる場合も、レンズ駆動制御部１３は、かかる設定に応じて第２の制御を実施可能であるものとする。
【００４６】
図８は、ぼかし調整モードにて得られる画像の例を示す図である。レンズ駆動制御部１３による第２の制御に応じてレンズ駆動部１１が補正用レンズ３１を駆動することで、カメラモジュール２は、第１の領域４１のピントを合わせるとともに、第２の領域４２のピントをずらす。第２の制御により、カメラモジュール２は、第１の領域４１に含まれる少なくともいずれかの被写体に対してピントを合わせる。また、カメラモジュール２は、第２の領域４２に含まれる全ての被写体に対してピントをずらす。
【００４７】
図８に示す例では、第１の領域４１は、例えば横方向を長手方向とする帯状に設定されている。第２の領域４２は、第１の領域４１の上下それぞれに設定されている。カメラモジュール２は、レンズ駆動制御部１３による補正用レンズ３１の傾きの制御に応じて、第１の領域４１の範囲及び第２の領域４２の範囲を任意に変更可能であるものとする。ユーザは、所望の部分にピントを合わせ、かつ他の部分を意図的にぼかした画像を得ることができる。
【００４８】
実施形態によると、カメラモジュール２は、撮像領域の一部を意図的にぼかす表現方法による撮影を実現できる。カメラモジュール２は、２回以上に分けて撮影された画像の合成によらず、１回の撮像により、ピントが合う部分とぼかした部分とを含む画像を得ることができる。
【００４９】
カメラモジュール２は、手振れ補正のためのＯＩＳ７を流用して、第１の領域４１のピントを合わせるとともに、第２の領域４２のピントをずらす。また、カメラモジュール２は、部分的なピントずれを作り出すための特別な光学系を用意しなくても、従来と同様の構成からなる撮像光学系５を用いて、部分的なピントずれを容易に作り出すことができる。カメラモジュール２は、画像の任意の部分を意図的にぼかすための新たな構造の増設あるいは構造の複雑化が不要である。カメラモジュール２は、カメラシステム１の小型化及び薄型化に適した構成にでき、かつ製造コストの上昇を抑えることができる。
【００５０】
これにより、カメラモジュール２は、撮像領域の一部を意図的にぼかした画像の撮影を、簡易かつ製造コストの低い構造にて実現できるという効果を奏する。カメラモジュール２は、画像の任意の部分を意図的にぼかすことで、背景に対して被写体を際立たせる効果、画像の鑑賞性を高める効果などを得ることができる。カメラモジュール２は、補正用レンズ３１の傾きを変化させる簡易な動作によって、演出効果の高い画像を撮影することができる。
【００５１】
レンズ駆動制御部１３が第１の制御と第２の制御とに、補正用レンズ３１の駆動の制御を切り換え可能であることで、カメラモジュール２は、通常の撮影モードにおける手振れ補正と、ぼかし調整モードによるぼけの調整とにＯＩＳ７の機能を切り換えて撮影を行うことができる。
【００５２】
レンズ駆動制御部１３は、第２の制御において、光軸ＡＸに対する補正用レンズ３１の傾きを調整するものに限られない。レンズ駆動制御部１３は、撮像領域の一部を意図的にぼかすことが可能であれば、補正用レンズ３１をどのように駆動させることとしても良い。例えば、レンズ駆動制御部１３は、所定の面に平行ないずれかの方向へ補正用レンズ３１を駆動させることとしても良い。
【００５３】
図９は、実施形態の変形例における補正用レンズ及びイメージセンサの位置関係の例を示す図である。レンズ駆動制御部１３は、第２の制御において、ＸＹ面の方向における補正用レンズ３１の位置を調整する。ＸＹ面は、光軸ＡＸに垂直な面である。
【００５４】
レンズ駆動制御部１３は、補正用レンズ３１の中心点Ｏを、光軸ＡＸ上の位置からＸＹ面内のいずれかの位置へシフトさせるように、補正用レンズ３１を移動させる。例えば図９に示す補正用レンズ３１は、中心点Ｏが光軸ＡＸ上にあるときに対して、マイナスＸ方向及びプラスＹ方向への斜めの方向へ移動している。レンズ駆動制御部１３は、Ｘ方向及びＹ方向のいずれか一方へ補正用レンズ３１を移動させることとしても良い。レンズ駆動制御部１３は、補正用レンズ３１をＸＹ面のうちいずれの方角へ移動させることとしても良く、移動量も適宜調整可能であるものとする。
【００５５】
本変形例においても、カメラモジュール２は、撮像領域の一部を意図的にぼかした画像の撮影を、簡易かつ製造コストの低い構造にて実現できる。カメラモジュール２は、光軸ＡＸに垂直な面の方向における補正用レンズ３１の位置を変化させる簡易な動作によって、演出効果の高い画像を撮影することができる。なお、レンズ駆動制御部１３は、補正用レンズ３１をＸＹ面の方向へ移動させるとともに、図５に示す場合と同様に傾きも調整することとしても良い。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
２  カメラモジュール、５  撮像光学系、６  固体撮像装置、７  ＯＩＳ、１３  レンズ駆動制御部、２２  画素アレイ、３１  補正用レンズ、４１  第１の領域、４２  第２の領域、ＡＸ  光軸。
【図１】
2015115865.tif 000003
【図２】
2015115865.tif 000004
【図３】
2015115865.tif 000005
【図４】
2015115865.tif 000006
【図５】
2015115865.tif 000007
【図６】
2015115865.tif 000008
【図７】
2015115865.tif 000009
【図８】
2015115865.tif 000010
【図９】
2015115865.tif 000011